(57)【要約】【課題】エア噴出のための動力の容量を大きくしなくても、強力なエアを吹きつけることができるエアノズルを提供することを目的とする。【解決手段】複数個のエア噴出口１が並設されたエアノズルであって、エア噴出口１の形状に沿った輪郭形状にて一体的に形成された先細ノズル先端部２を有したものである。【選択図】  図２
2004188290.tif 000002
【特許請求の範囲】
【請求項１】
複数個のエア噴出口（１）が並設されたエアノズルであって、該エア噴出口（１）の形状に沿った輪郭形状にて一体的に形成された先細ノズル先端部（２）を有することを特徴とするエアノズル。
【請求項２】
上記複数個のエア噴出口（１）の間に対応する上記先細ノズル先端部（２）の側面（２ａ）に、該エア噴出口（１）から噴出されるエアが該先細ノズル先端部（２）の周囲のエアを噴出エア方向へ連行させる整流溝部（３）が形成された請求項１記載のエアノズル。
【請求項３】
上記エア噴出口（１）を２個とし、上記先細ノズル先端部（２）の横断面形状を瓢箪形とした請求項２記載のエアノズル。
【発明の詳細な説明】
【０００１】
【発明の属する技術分野】
本発明は、金型等から成形品をエアの噴出により取り出しするエアノズルに関する。
【０００２】
【従来の技術】
ゴム製品の成形において、多数のゴム製品を金型により成形し、その金型から製品を取り出す従来の手段としては、作業者がエアガンにより金型の一面側からエアブローして、ゴム製品を金型の他面側へ取り出す手段が知られている。
また、このエアブローをロボットにより自動化させた場合における従来のエアノズルの形状は、図６に示すように、エア噴出口４１が円柱形状のノズル先端面４２（噴出口４１の面積より広面積の平面部）に設けられたもの（例えば、特許文献１参照）や、図７に示すように、楕円形の先端面４２に複数個のエア噴出口４１が形成されたものが知られている。
【０００３】
【特許文献１】
特開平  ７−５１７６３  号公報
【０００４】
【発明が解決しようとする課題】
金型から取り出すゴム製品がその表面に突起部を有するもの、例えば疣（イボ）付きチューブで、ゴム製品が金型内に嵌まり込んで取り出しが困難なものに対しては、ロボットにより自動的に動作する従来のエアノズルでは、風圧（エア噴出量やエア噴出力）が不十分であるという問題点がある。つまり、金型内から全ての製品を残らずに取り出すために、何回もノズルを往復動させる必要があり、取り出しに時間がかかり作業のサイクルタイムが長くなるという問題点があった。さらに、金型を長時間空中に露出状とし、さらに、エアを長時間吹きつけることにより金型の温度が低下してしまい、次の製品の成形において時間がかかったり、不良を引き起こす原因となるという問題点があった。
【０００５】
つまり、図６のエアノズルにおいては、エア噴出口４１周域の空気の流れが悪く、渦等が発生しエアブローの力が弱まる。また、図７のエアノズルにおいても、二つのエア噴出口４１，４１の間において空気の流れが悪くなり、エアブローの力が弱まるという問題点がある。
【０００６】
そこで本発明は、エア噴出のための動力の容量を大きくしなくても、強力なエアを吹きつけることができるエアノズルを提供することを目的とする。
【０００７】
【課題を解決するための手段】
上述の目的を達成するために、本発明に係るエアノズルは、複数個のエア噴出口が並設されたエアノズルであって、該エア噴出口の形状に沿った輪郭形状にて一体的に形成された先細ノズル先端部を有するものである。
また、上記複数個のエア噴出口の間に対応する上記先細ノズル先端部の側面に、該エア噴出口から噴出されるエアが該先細ノズル先端部の周囲のエアを噴出エア方向へ連行させる整流溝部が形成されたものである。
また、上記エア噴出口を２個とし、上記先細ノズル先端部の横断面形状を瓢箪形としたものである。
【０００８】
【発明の実施の形態】
以下、図示の実施の形態に基づき、本発明を詳説する。
【０００９】
図１は、本発明に係るエアノズルを有する金型成形品自動取出装置の斜視図であり、図２はエアノズル４を下方から見た斜視図、図３はエアノズル４の先端面２ｂを示す図、図４はエアノズル４による製品の取り出しを説明する金型Ｍの断面図であり、図５はエアノズル４の側面図である。
本発明のエアノズル４によりエア（空気）が吹きつけられて金型Ｍから取り出しされる製品５は、図４に示すように、金型Ｍの中に嵌まり込んで取り出しが困難な製品５であり、このエアノズル４は、このような製品５を取り出すことに特に有効なものである。なお、Ｏリング等のように比較的取り出しが容易なものについても、もちろん適用可能である。
【００１０】
製品５の具体例としては、金型Ｍにより多数個成形されるゴム製品等であり、ゴム製品はその外周面に突起部を有するようなゴムチューブ（イボ付きチューブ）等である。つまり、ゴム製品の突起部が金型Ｍの凹部に入り込み（引っ掛かり）、製品５が抜け出にくい構造のものである。
【００１１】
そして、図１に示す自動取出装置は、図外の成形金型部から移動してくる金型Ｍに対し、本発明のエアノズル４により、金型Ｍの一面側からエアーの噴出を行い、エアノズル４と金型Ｍとを相対的に位置変動させて、製品５を金型Ｍの他端面側へ吹き飛ばして取り出すよう構成されている。
このエアノズル４の動作は、固定状の金型Ｍに対して、エアノズル４を一方向に連続的に往復動させながらその方向に直交する方向へ間欠的に移動させて、金型Ｍの全面にわたってエアブローを行う。または図示省略するが、エアノズルを固定して、金型Ｍが上記動作を行ってもよい。
【００１２】
この自動取出装置について具体的に説明すると、エアノズル４は複数の関節部を有するアーム部７の先端に取着され、アーム部７の基端は装置架台８に立設する本体部９に接続され、エアノズル４が自動的に金型Ｍに対して図外の制御手段により２次元的に移動可能に構成されている。そして、エアブロー用のエア発生手段（エアコンプレッサー等）は、図示省略するが、本体部９内等に装着されており、アーム部７内のエア供給配管を経由させて、エアノズル４に圧縮空気を供給する。
【００１３】
つまり、このエアノズル４は、図外のエア発生手段から連通するエア供給配管に接続されたものであり、エアノズル４は、複数個のエア噴出口１が共通する一つの先端面２ｂにおいて並設されたエアノズルであって、エア噴出口１の開口部形状（複数の円形）に沿った輪郭形状にて一体的に形成された先細ノズル先端部２を有している。
なお、図２においては、エア噴出口１の数を２個としており、先細ノズル先端部２の先端面２ｂ形状及びその横断面形状を瓢箪形としている。
【００１４】
即ち、一つのブロック体により形成された先細ノズル先端部２の先端面２ｂに、同じ方向に向かってエアを噴出するよう開口する複数個（２個）のエア噴出口１を所定ピッチＰ（図５）にて近接させて配置させており、そのブロック体（先細ノズル先端部２）の外形状は、全体として、先端へ向かってテーパー状に細くなった錐形状である。つまり、その錐体の頂部にエア噴出口１が配設されている。
さらに具体的に説明すると、図５に示すように、エア噴出口１を開口端とする直線状エア噴出孔１０を中心とした複数個の円錐形状の円錐筒部が、夫々の軸心を略平行とし、並設状態で連結され一体状とされている。
【００１５】
さらに、説明すると、図２と図３の先端面２ｂの図に示すように、複数個のエア噴出口１，１の間における（複数個のエア噴出口１，１の間に対応する）先細ノズル先端部２の側面２ａ（両面）に、エアの吹きつけ方向に先端面２ｂまで連続して形成される整流溝部３，３を形成している。
整流溝部３の断面形状は、図３に示すように、滑らかな凹状湾曲形であり、先細ノズル先端部２の側面２ａは全周にわたって角部のない滑らかな形状（瓢箪形）としている。
【００１６】
この整流溝部３は、図２に示すように、エア噴出口１から噴出されるエアが、先細ノズル先端部２の周囲のエアを噴出エア方向へ連行させる（引張る）よう形成されたものであり、エア噴出口１からのエアブローにより、先細ノズル先端部２の周囲のエアを、先細ノズル先端部２のテーパー形状に沿って連行させて（引張って）、先細ノズル先端部２の全周にわたって、先細ノズル先端部２の側面２ａからエアブローする対象物まで滑らかにエアを流させることができる。つまり、断面略凹状の整流溝部３によれば、先端面２ｂのエア噴出口１，１の間の領域において渦が発生せず、エアが滞留することがない。
【００１７】
また、先細ノズル先端部２の先端面２ｂにおける、エア噴出口１廻りの先細ノズル先端部２肉厚ｔは、エア噴出口１を中心とした直管状エア噴出管を形成するとした際における（強度的な）必要厚さ以上であればよく、その最小厚さとしてもよい。
【００１８】
さらに、エア噴出口１を２列以下とするのが好ましく、また、テーパー形状の先細ノズル先端部２のテーパ角度θを０°以上６０°以下とするのが好ましい。これにより、エア噴出口１のエアブローと共に、先細ノズル先端部２の側面２ａ近傍のエア（空気）を滑らかに流すことができ、強力なエアブローが得られる。
【００１９】
次に、従来型のエアノズルとの比較について説明すると、図１及び図４に示すような金型Ｍからゴム製品５をエアブローにより取り出すためには、従来では取り残しを無くするために、一つの金型成形部（多数の孔部６）に対して、複数回エアノズルを往復動させる必要があったが、本発明によれば、エアノズル４を一往復させるのみで全ての製品５を金型Ｍから取り出すことが可能となり、作業の短縮化が図れると共に金型Ｍの温度を低下させずに済む。
【００２０】
【発明の効果】
本発明は上述の構成により次のような効果を奏する。
【００２１】
（請求項１によれば）直接エア噴出口１から噴出されるエアだけでなく、エア噴出口１周域の空気も連行して吹きつけることが可能となり、エアコンプレッサー等の動力の容量を大きくすることなく、強力なエアの噴出が可能となる。従って、金型Ｍから製品５をエアブローにて取り出す際に、製品５の取り残しがなくなり、また、短時間でその作業が行え生産効率の向上が望める。
【００２２】
（請求項２によれば）空気が滞留しやすいエア噴出口１の間の領域においても、整流溝部３によってエアが流れやすくなり、強力なエアの噴出が可能となる。つまり、周囲の空気をもエア噴出口１によるエア噴出方向へブローできる。
【００２３】
（請求項３によれば）簡単な形状により強力な高効率エアブローが可能となり、金型Ｍへのエアの吹きつけ往復回数や、吹きつけ時間が少なくてすみ、作業時間の短縮が可能となる。従って、金型Ｍが必要以上に冷やされることがなく、次の成形において、製品に対し不具合を発生させることがない。
【図面の簡単な説明】
【図１】本発明のエアノズルを使用する装置の実施の一形態を示す斜視図である。
【図２】エアノズルの下方からの斜視図である。
【図３】エアノズルの先端面の図である。
【図４】エアノズルによる製品の取り出しを説明する金型の断面図である。
【図５】エアノズルの側面図である。
【図６】従来のエアノズルの斜視図である。
【図７】従来のエアノズルの斜視図である。
【符号の説明】
１  エア噴出口
２  先細ノズル先端部
２ａ  側面
３  整流溝部
【図１】
2004188290.tif 000003
【図２】
2004188290.tif 000004
【図３】
2004188290.tif 000005
【図４】
2004188290.tif 000006
【図５】
2004188290.tif 000007
【図６】
2004188290.tif 000008
【図７】
2004188290.tif 000009